(57)【要約】【課題】従来、炊事用手袋は、指先部などにわずかな破損が生じても破棄されていた。手首部や腕部は破損しにくいことに着眼した。腕バンド器具に専用の炊事用手袋部を取り替える二部式で構成した炊事用手袋を考案し、資源の節約と異素材の組合せによるデザイン性を試みた。【解決手段】腕バンド器具１２の裏面突起部１ａ、２ａ、３ａ、４ａ、５ａ、６ａ、７ａ、８ａ、９ａ，１０ａ，１１ａに炊事用手袋部１３の開口部周囲１５のエンボス部１ｂ、２ｂ、３ｂ、４ｂ、５ｂ、６ｂ、７ｂ、８ｂ、９ｂ，１０ｂ，１１ｂをあてがい、押さえ器具１４で挟み、腕バンド器具１２と炊事用手袋部１３を連結する。連結した腕バンド器具１２は手首に隙間なく沿いマグネット部１６、１７を合わせて留める。炊事用手袋部１３が破損したときは、押さえ器具１４を取り外し、同形の新しい炊事用手袋部１３と取り替える。【選択図】図８
2020059958.tif 000002
【特許請求の範囲】
【請求項１】
指先から掌までを保護をする炊事用手袋部と、手首に固定する腕バンド器具と、前記炊事用手袋部と前記腕バンド器具とを連結する押さえ器具と、からなる炊事用手袋。
【請求項２】
前記腕バンド器具は、各人の手首のサイズに調整できるよう両端をマグネットで合わせ留められる請求項１記載の炊事用手袋。
【発明の詳細な説明】
【技術分野】
【０００１】  本発明は、手首に固定する腕バンド器具に炊事用手袋部を取り付け、この炊事用手袋部を取り替え可能な炊事用手袋を提供する。
【背景技術】
【０００２】  従来、炊事用手袋は指先部や掌部のわずかな穴あき、破損が生じても破棄されていた。【０００３】  炊事用手袋は指先から前腕を覆う長さと、はき口が広いことから、肘方向から手首方向にずり落ちたり、ずり落ちたとき生じる水の浸入、また、長さがあるため着脱が容易でなかった。例えば、ずり落ちを防止する手袋として特許文献１がある。【０００４】  従来の炊事用手袋は、デザインやファッションを表現することに限界があった。
【先行技術文献】
【特許文献】
【０００５】
【特許文献１】実開平５−８５８１９号公報
【発明の概要】
【発明が解決しようとする課題】
【０００６】  破損しにくい部分としやすい部分を分割して製造し、破損しやすい炊事用手袋部を取り替えて使用する。【０００７】  炊事用手袋のずり落ちる不快感、水の浸入を無くす。【０００８】  異素材の組合せにて、意匠をこらす。
【課題を解決するための手段】
【０００９】  図４の腕バンド器具１２の突起部１ａ、２ａ、３ａ、４ａ、５ａ、６ａ、７ａ、８ａ、９ａ、１０ａ、１１ａに図１の炊事用手袋部１３の開口周囲部１５上のエンボス部１ｂ、２ｂ、３ｂ、４ｂ、５ｂ、６ｂ、７ｂ、８ｂ，９ｂ、１０ｂ、１１ｂをあてがい、図６の押さえ器具１４の穴部１ｃ、２ｃ、３ｃ、４ｃ、５ｃ、６ｃ、７ｃ、８ｃ、９ｃ、１０ｃ、１１ｃで挟み、腕バンド器具１２と炊事用手袋部１３を連結する。【００１０】  連結した状態で使用し、手首との間に隙間が生じないように腕バンド器具１２の両端のマグネット部１６、１７を重ね合わせて留める。【００１１】  また、炊事用手袋部１３に破損が生じた場合は、押さえ器具１４を外し、同形の新しい炊事用手袋部１３に取り替える。
【発明の効果】
【００１２】  従来の炊事用手袋は、指先部や掌部のわずかな穴あきや破損が生じても破棄されていたが、再利用できる腕バンド器具１２に、破損しやすい指先部から掌部の炊事用手袋部１３を取り替えて使用することより、資源を節約することができる。【００１３】  腕バンド器具１２の両端１６、１７のマグネット部を重ね合わせて留め各人の手首に隙間なく装着することにより、ずり落ちや、水の浸入を防止でき、両端１６、１７のマグネット部の留めを外した状態では、はき口が広く開口するため従来品に比べ着脱が容易になる。【００１４】  誕生して半世紀になる炊事用手袋は単一素材からなるものが多く、本発明のように異素材を組み合わせることによって、これまでにない意匠や素材感を試みることができる。
【図面の簡単な説明】
【００１５】
【図１】  取り付け用炊事用手袋部の斜視図である。
【図２】  腕バンド器具を筒状にした状態の斜視図である。
【図３】  押さえ器具の斜視図である。
【図４】  腕バンド器具の裏面平面図である。
【図５】  図４の断面図である。
【図６】  押さえ器具の平面図である。
【図７】  図６の断面図である。
【図８】  連結した腕バンド器具と炊事用手袋部の斜視図である。
【発明を実施するための形態】
【００１６】  本発明で使用する炊事用手袋部１３は、指先から掌までを保護するものであり、手首までを広く保護する通常の炊事用手袋よりも短いものである。
腕バンド器具１２の裏面に突起部１ａから１１ａを設ける。
使用者が腕バンド器具１２の突起部１ａから１１ａに炊事用手袋部１３を取り付けやすいように、炊事用手袋部１３の開口部周囲１５にも１ｂから１１ｂのエンボス部を設け、押さえ器具１４の穴部１ｃから１１ｃをはめ込んで腕バンド器具１２と炊事用手袋部１３を連結する。
また、取り替えには、押さえ器具１４を取り外し、古い炊事用手袋部１３を外し、同形の新しい炊事用手袋部１３に取り替え、再び押さえ器具１４で挟んで固定する。
使用時に腕バンド器具１２が手首に隙間なく巻けるよう腕バンド器具１２の両端１６、１７にマグネット部を設け、両端が合わさる形状とする。
【符号の説明】
【００１７】１２  腕バンド器具
１３  炊事用手袋部
１４  押さえ器具
１５  炊事用手袋部の開口部周囲
１６，１７  押さえ器具マグネット部
１ａ，２ａ，３ａ，４ａ，５ａ，６ａ  腕バンド器具裏面突起部
７ａ，８ａ，９ａ，１０ａ，１１ａ    腕バンド器具裏面突起部
１ｂ，２ｂ，３ｂ，４ｂ，５ｂ，６ｂ  炊事用手袋部の開口部周囲エンボス部
７ｂ，８ｂ，９ｂ，１０ｂ，１１ｂ    炊事用手袋部の開口部周囲エンボス部
１ｃ，２ｃ，３ｃ，４ｃ，５ｃ，６ｃ  押さえ器具穴部
７ｃ，８ｃ，９ｃ，１０ｃ，１１ｃ    押さえ器具穴部
【図１】
2020059958.tif 000003
【図２】
2020059958.tif 000004
【図３】
2020059958.tif 000005
【図４】
2020059958.tif 000006
【図５】
2020059958.tif 000007
【図６】
2020059958.tif 000008
【図７】
2020059958.tif 000009
【図８】
2020059958.tif 000010
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
少なくとも指先から掌までを保護をする炊事用手袋部と、手首に固定する腕バンド器具と、前記炊事用手袋部と前記腕バンド器具とを着脱可能に連結する押さえ器具と、からなり、前記押さえ器具は、前記腕バンド器具との間で、前記炊事用手袋部を押さえて挟み込み、前記腕バンド器具は、各人の手首のサイズに調整できるよう両端をマグネットで合わせ留められることを特徴とする炊事用手袋。
【手続補正２】
【補正対象書類名】明細書
【補正対象項目名】００１７
【補正方法】変更
【補正の内容】
【００１７】１２  腕バンド器具
１３  炊事用手袋部
１４  押さえ器具
１５  炊事用手袋部の開口部周囲
１６、１７  腕バンド器具のマグネット部
１ａ、２ａ、３ａ、４ａ、５ａ、６ａ  腕バンド器具裏面突起部
７ａ、８ａ、９ａ、１０ａ、１１ａ    腕バンド器具裏面突起部
１ｂ、２ｂ、３ｂ、４ｂ、５ｂ、６ｂ  炊事用手袋部の開口部周
囲エンボス部
７ｂ、８ｂ、９ｂ、１０ｂ、１１ｂ    炊事用手袋部の開口部周
囲エンボス部
１ｃ、２ｃ、３ｃ、４ｃ、５ｃ、６ｃ  押さえ器具穴部
７ｃ、８ｃ、９ｃ、１０ｃ、１１ｃ    押さえ器具穴部
【手続補正３】
【補正対象書類名】図面
【補正対象項目名】図１
【補正方法】変更
【補正の内容】
【図１】
2020059958.tif 000011
【手続補正４】
【補正対象書類名】図面
【補正対象項目名】図８
【補正方法】変更
【補正の内容】
【図８】
2020059958.tif 000012